(57)【要約】【課題】シャッターチャンスを失することなく所望の画質かなる被写体像を撮影して記録する。【解決手段】通常のスルー画像及び画質調整用のスルー画像の同時表示処理を実行する（ステップＳ１０１）。すなわち、マニュアル撮影モードが設定されており、ユーザーにより絞り値ＡとシャッタースピードＢとが設定されているとすると、第２ＣＣＤにより撮像される画像を通常のスルー画像Ｐ２として表示するとともに、シャッタースピードＢに対応する時間間隔で第１ＣＣＤを駆動し、得られた撮像信号に基づき画面の一部に画質調整用のスルー画像Ｐ１を表示させる。ユーザーは画質調整用のスルー画像Ｐ１より撮影記録される画像の画質を確認した後、通常のスルー画像Ｐ２を視認しつつ、シャッターキーを操作する。これにより、シャッターチャンスを失していない所望の画像であって所望の画質かなる被写体像を撮影して記録することが可能となる。【選択図】      図２
2004274284.tif 000002
【特許請求の範囲】
【請求項１】
第１のファインダ画像表示用の撮影条件を撮影手段に設定し、該撮影手段に繰り返し撮影動作を行わせる第１の撮影制御手段と、
前記第１のファインダ画像表示用の撮影条件とは異なる第２のファインダ画像表示用の撮影条件を前記撮影手段に設定し、該撮影手段に繰り返し撮影動作を行わせる第２の撮影制御手段と、
前記第１の撮影制御手段により前記撮影手段を用いて繰り返し撮影される被写体画像と前記第２の撮影制御手段により前記撮影手段を用いて繰り返し撮影される被写体画像とを表示手段に表示させる表示制御手段と
を備えることを特徴とする電子カメラ。
【請求項２】
前記第２のファインダ画像表示用の撮影条件は、被写体画像記録用の撮影条件であることを特徴とする請求項１記載の電子カメラ。
【請求項３】
前記第２のファインダ画像表示用の撮影条件は、被写体画像記録用の撮影条件と擬似的に等価な撮影条件であることを特徴とする請求項１記載の電子カメラ。
【請求項４】
前記第１の撮影制御手段と第２の撮影制御手段とを同時に動作させる手段を備え、
前記表示制御手段は、前記第１の撮影制御手段により前記撮影手段を用いて繰り返し撮影される被写体画像と前記第２の撮影制御手段により前記撮影手段を用いて繰り返し撮影される被写体画像とを前記表示手段に同時表示させることを特徴とする請求項１乃至３のいずれかに記載の電子カメラ。
【請求項５】
前記撮影手段は、第１の撮影手段と第２の撮影手段を含み、
前記第１の撮影制御手段は、第１のファインダ画像表示用の撮影条件を前記第１の撮影手段に設定し、該第１の撮影手段に繰り返し撮影動作を行わせ、
前記第２の撮影制御手段は、第２のファインダ画像表示用の撮影条件を前記第２の撮影手段に設定し、該第２の撮影手段に繰り返し撮影動作を行わせ、
前記表示制御手段は、前記第１の撮影制御手段により前記第１の撮影手段を用いて繰り返し撮影される被写体画像と前記第２の撮影制御手段により前記第２の撮影手段を用いて繰り返し撮影される被写体画像とを前記表示手段に同時表示させることを特徴とする請求項４記載の電子カメラ。
【請求項６】
前記第１の撮影制御手段と第２の撮影制御手段とを選択的に動作させる撮影選択手段と、
第１のファインダ画像表示モードと第２のファインダ画像表示モードのうちいずれか一方を選択するモード選択手段とを備え、
前記撮影選択手段は、前記モード選択手段により第１のファインダ画像表示モードが選択された場合に前記第１の撮影制御手段を動作させるとともに、前記モード選択手段により第２のファインダ画像表示モードが選択された場合に前記第２の撮影制御手段を動作させ、
前記表示制御手段は、前記モード選択手段により第１のファインダ画像表示モードが選択された場合、前記第１の撮影制御手段により前記撮影手段を用いて繰り返し撮影される被写体画像を前記表示手段に表示させるとともに、前記モード選択手段により第２のファインダ画像表示モードが選択された場合、前記第２の撮影制御手段により前記撮影手段を用いて繰り返し撮影される被写体画像を前記表示手段に表示させることを特徴とする請求項１乃至３のいずれかに記載の電子カメラ。
【請求項７】
撮影を指示する撮影指示手段と、
この撮影指示手段により撮影が指示された場合、被写体画像記録用の撮影条件を前記撮影手段に設定し、該撮影手段に撮影動作を行わせる第３の撮影制御手段と、
この第３の撮影制御手段により前記撮影手段を用いて撮影された被写体画像を記録する記録手段とを備えたことを特徴とする請求項１乃至６のいずれかに記載の電子カメラ。
【請求項８】
前記第２のファインダ画像表示用の撮影条件を調整する調整手段を備え、
前記第２の撮影制御手段は、前記調整手段により調整された撮影条件を前記撮影手段に設定し、該撮影手段に繰り返し撮影動作を行わせ、
前記第３の撮影制御手段は、前記調整手段により調整された撮影条件を前記撮影手段に設定し、該撮影手段に撮影動作を行わせることを特徴とする請求項７記載の電子カメラ。
【請求項９】
前記撮影条件は、絞り、シャッタースピード、ゲイン、又は画像処理を含むことを特徴とする請求項１乃至８のいずれかに記載の電子カメラ。
【請求項１０】
電子カメラが撮像装置が有するコンピュータを、
第１のファインダ画像表示用の撮影条件を撮影手段に設定し、該撮影手段に繰り返し撮影動作を行わせる第１の撮影制御手段と、
前記第１のファインダ画像表示用の撮影条件とは異なる第２のファインダ画像表示用の撮影条件を前記撮影手段に設定し、該撮影手段に繰り返し撮影動作を行わせる第２の撮影制御手段と、
前記第１の撮影制御手段により前記撮影手段を用いて繰り返し撮影される被写体画像と前記第２の撮影制御手段により前記撮影手段を用いて繰り返し撮影される被写体画像とを表示手段に表示させる表示制御手段と
して機能させることを特徴とする撮像制御プログラム。
【発明の詳細な説明】
【０００１】
【発明の属する技術分野】
【０００２】
本発明は、電子カメラ及び撮像制御プログラムに関する。
【０００３】
【従来の技術】
【０００４】
一般な電子カメラにおいては、撮像素子により被写体像を所定の短い時間間隔（電荷蓄積時間）で撮像し、この所定の時間間隔で撮像した被写体像をスルー画像として液晶モニターに表示する。撮影者は、液晶モニターに表示されるスルー画像を視認しながら、画質調整や画角調整等を行い、所望の画質や画角等からなるスルー画像が表示された時点でシャッター操作を行う。
【０００５】
このときオート撮影モードが設定されている場合には、シャッター操作が行われた直前のスルー画像の明るさ等に基づき本撮影の露光条件を決定し、この決定した露光条件に応じた電荷蓄積時間で撮像素子により撮像された被写体像を保存メモリに記録する。また、マニュアル撮影モードが設定されている場合には、予めユーザーにより設定されている本撮影の露光条件に応じた電荷蓄積時間で撮像素子により撮像された被写体像を保存メモリに記録する。したがって、液晶モニターに表示される被写体像と、シャッター操作に伴って保存メモリに記録される被写体像の画質は電荷蓄積時間の違い等により異なるものとなり、液晶モニターに表示される被写体像を視認して撮影を行っても、視認した画質の被写体像とは異なる所望外の画質からなる被写体像が記録されてしまう。
【０００６】
このため、本撮影と同一の撮影条件で仮撮影を実行してこの仮撮影した被写体像を表示し、この仮撮影した被写体像を視認した後、本撮影を行うことにより、予め視認した（仮撮影時の）被写体像と同質の被写体像を記録することのできる電子カメラも提案されるに至っている（例えば、特許文献１参照。）。
【０００７】
【特許文献１】
特開２００１−２１１３５９号公報
【０００８】
【発明が解決しようとする課題】
【０００９】
しかしながら、前述のような撮影条件で仮撮影を実行してこの仮撮影した被写体像を表示した場合、仮撮影時の操作時間が不可避的に生ずることから、この仮撮影時に要する操作時間が経過した後に、当該仮撮影された被写体像が表示されることとなる。このため、仮撮影した被写体像により画質を確認した後本撮影を行おうとすると、その間に被写体が動作して構図が変化して、シャッターチャンスを失してしまう場合が生ずる。よって、所望の画質からなる被写体像を撮影できるにしても、シャッターチャンスを失していない所望の画像を撮像して記録し得るものではなかった。
【００１０】
本発明は、かかる課題に鑑みてなされたものであり、シャッターチャンスを失することなく所望の画質からなる被写体像を撮影して記録することを可能にする電子カメラ及び撮像制御プログラムを提供することを目的とするものである。
【００１１】
【課題を解決するための手段】
【００１２】
前記課題を解決するために請求項１の発明に係る電子カメラにあっては、第１のファインダ画像表示用の撮影条件を撮影手段に設定し、該撮影手段に繰り返し撮影動作を行わせる第１の撮影制御手段と、前記第１のファインダ画像表示用の撮影条件とは異なる第２のファインダ画像表示用の撮影条件を前記撮影手段に設定し、該撮影手段に繰り返し撮影動作を行わせる第２の撮影制御手段と、前記第１の撮影制御手段により前記撮影手段を用いて繰り返し撮影される被写体画像と前記第２の撮影制御手段により前記撮影手段を用いて繰り返し撮影される被写体画像とを表示手段に表示させる表示制御手段とを備える。
【００１３】
したがって、表示手段には、第１のファインダ画像表示用の撮影条件で繰り返し撮影される第１の被写体画像と、第２のファインダ画像表示用の撮影条件で繰り返し撮影される第２の被写体画像とが表示される。ここで、第１の被写体画像と第２の被写体画像とは異なる撮影条件で撮影されるものであることから、第１の被写体画像は実際の被写体画像との間のタイムラグを生じさせずに表示できる撮影条件で撮影し、第２の被写体画像は、所望の画質に応じた撮影条件で撮影することができる。
【００１４】
そして、ユーザーは第２の被写体画像により記録保存される画像の画質を確認する作業と並行して、第１の被写体画像を視認しつつ、構図や画角を調整してシャッターチャンスを待つ。そして、第２の被写体画像としてユーザーが望む画質の被写体画像が表示され、且つ第１の被写体画像として所望の構図や画角からなる被写体画像が表示された時点（シャッターチャンス）で撮影指示を行う。これにより、シャッターチャンスを失していない所望の画像であって所望の画質からなる被写体画像を撮影して記録することが可能となる。
【００１５】
また、請求項２の発明に係る電子カメラにあっては、前記第２のファインダ画像表示用の撮影条件は、被写体画像記録用の撮影条件である。したがって、ユーザーは、第２のファインダ画像表示用の撮影条件で撮影されて表示される第２の被写体画像を見ることにより、記録保存される被写体画像の画質を予め確認することができる。
【００１６】
また、請求項３の発明に係る電子カメラにあっては、前記第２のファインダ画像表示用の撮影条件は、被写体画像記録用の撮影条件と擬似的に等価な撮影条件である。したがって、実際に記録保存される被写体画像と等価な画質からなる第２の被写体画像を表示することができ、この第２の被写体画像を見ることにより、記録保存される被写体画像の画質を予め確認することができる。
【００１７】
また、請求項４の発明に係る電子カメラにあっては、前記第１の撮影制御手段と第２の撮影制御手段とを同時に動作させる手段を備え、前記表示制御手段は、前記第１の撮影制御手段により前記撮影手段を用いて繰り返し撮影される被写体画像と前記第２の撮影制御手段により前記撮影手段を用いて繰り返し撮影される被写体画像とを前記表示手段に同時表示させる。したがって、前記第１の被写体画像と第２の被写体画像とが同時表示されることとなり、第２の被写体画像により記録保存される画像の画質を確認する作業と、第１の被写体画像を視認しつつ構図や画角を調整してシャッターチャンスを待つ動作とを容易に行うことができる。
【００１８】
また、請求項５の発明に係る電子カメラにあっては、前記撮影手段は、第１の撮影手段と第２の撮影手段を含み、前記第１の撮影制御手段は、第１のファインダ画像表示用の撮影条件を前記第１の撮影手段に設定し、該第１の撮影手段に繰り返し撮影動作を行わせ、前記第２の撮影制御手段は、第２のファインダ画像表示用の撮影条件を前記第２の撮影手段に設定し、該第２の撮影手段に繰り返し撮影動作を行わせ、前記表示制御手段は、前記第１の撮影制御手段により前記第１の撮影手段を用いて繰り返し撮影される被写体画像と前記第２の撮影制御手段により前記第２の撮影手段を用いて繰り返し撮影される被写体画像とを前記表示手段に同時表示させる。したがって、この電子カメラにおいては、第１の撮影手段により前記第１の被写体画像が撮影され、別途設けられた第２の撮影手段により前記第２の被写体画像が撮影されて表示される。
【００１９】
また、請求項６の発明に係る電子カメラにあっては、前記第１の撮影制御手段と第２の撮影制御手段とを選択的に動作させる撮影選択手段と、第１のファインダ画像表示モードと第２のファインダ画像表示モードのうちいずれか一方を選択するモード選択手段とを備え、前記撮影選択手段は、前記モード選択手段により第１のファインダ画像表示モードが選択された場合に前記第１の撮影制御手段を動作させるとともに、前記モード選択手段により第２のファインダ画像表示モードが選択された場合に前記第２の撮影制御手段を動作させ、前記表示制御手段は、前記モード選択手段により第１のファインダ画像表示モードが選択された場合、前記第１の撮影制御手段により前記撮影手段を用いて繰り返し撮影される被写体画像を前記表示手段に表示させるとともに、前記モード選択手段により第２のファインダ画像表示モードが選択された場合、前記第２の撮影制御手段により前記撮影手段を用いて繰り返し撮影される被写体画像を前記表示手段に表示させる。したがって、画質優先で撮影を行う場合には、モード選択手段により第２のファインダ画像表示モードを設定して第２の被写体画像を表示させ、構図（シャッターチャンス）優先で撮影を行う場合には、第１のファインダ画像表示モードを設定して第１の被写体画像を表示させることにより、優先させる撮影形態に応じた表示を行うことができる。
【００２０】
また、請求項７の発明に係る電子カメラにあっては、撮影を指示する撮影指示手段と、この撮影指示手段により撮影が指示された場合、被写体画像記録用の撮影条件を前記撮影手段に設定し、該撮影手段に撮影動作を行わせる第３の撮影制御手段と、この第３の撮影制御手段により前記撮影手段を用いて撮影された被写体画像を記録する記録手段とを備える。したがって、前述のように、第１の被写体画像として所望の構図や画角からなる被写体画像が表示された時点で撮影指示を行うことにより、シャッターチャンスを失していない所望の画像であって所望の画質からなる第２の被写体画像が撮影されて記録されることとなる。
【００２１】
また、請求項８の発明に係る電子カメラにあっては、前記第２のファインダ画像表示用の撮影条件を調整する調整手段を備え、前記第２の撮影制御手段は、前記調整手段により調整された撮影条件を前記撮影手段に設定し、該撮影手段に繰り返し撮影動作を行わせ、前記第３の撮影制御手段は、前記調整手段により調整された撮影条件を前記撮影手段に設定し、該撮影手段に撮影動作を行わせる。したがって、前記第２の被写体画像の画質を調整して表示させることができとともに、この調整された画質からなる第２の被写体画像が表示されてこれをユーザーが確認した後、第１の被写体画像を見てシャッターチャンス時点で撮影指示を行うことにより、確認した画質からなる被写体画像であってシャッターチャンスを失していない所望の画像が撮影されて記録されることとなる。
【００２２】
また、請求項９の発明に係る電子カメラにあっては、前記撮影条件は、絞り、シャッタースピード、ゲイン、又は画像処理を含む。
【００２３】
また、請求項１０の発明に係る撮像制御プログラムにあっては、電子カメラが撮像装置が有するコンピュータを、第１のファインダ画像表示用の撮影条件を撮影手段に設定し、該撮影手段に繰り返し撮影動作を行わせる第１の撮影制御手段と、前記第１のファインダ画像表示用の撮影条件とは異なる第２のファインダ画像表示用の撮影条件を前記撮影手段に設定し、該撮影手段に繰り返し撮影動作を行わせる第２の撮影制御手段と、前記第１の撮影制御手段により前記撮影手段を用いて繰り返し撮影される被写体画像と前記第２の撮影制御手段により前記撮影手段を用いて繰り返し撮影される被写体画像とを表示手段に表示させる表示制御手段として機能させる。したがって、前記コンピュータがこのプログラムに従って処理を実行することにより、請求項１記載の発明と同様の作用効果を奏する。
【発明の実施の形態】
【００２４】
以下、本発明の一実施の形態を図にしたがって説明する。
（第１の実施の形態）
図１は、本発明の第１実施の形態に係る電子カメラ１の概略構成を示すブロック図である。この電子カメラ１は、後述する画質調整用のスルー画像（ファインダ画像）を表示するために使用される第１ＣＣＤ２と、通常のスルー画像を表示するために使用される第２ＣＣＤ２２を備え、両ＣＣＤの前面には絞り６、２６が配置されている。絞り６、２６は、ＤＳＰ／ＣＰＵ３からの制御信号に基づき絞り駆動部９が発生する駆動信号により駆動され、ＣＣＤ２、２２に入射する被写体像の光量を調整する。
【００２５】
ＤＳＰ／ＣＰＵ３は、画像データの圧縮・伸張処理を含む各種のデジタル信号処理機能を有するとともに電子カメラ１の各部を制御するワンチップマイコンである。ＤＳＰ／ＣＰＵ３には、第１ＣＣＤ２を駆動するＴＧ（Ｔｉｍｉｎｇ  Ｇｅｎｅｒａｔｏｒ）４と、第２ＣＣＤ２２を駆動するＴＧ２４とが接続されている。これらＴＧ４、２４には、各ＣＣＤ２、２２から出力される被写体の光学像に応じたアナログの撮像信号が入力するユニット回路５、２５が各々接続されている。各ユニット回路５、２５は、入力した撮像信号を保持するＣＤＳと、その撮像信号を増幅するゲイン調整アンプ（ＡＧＣ）、増幅された撮像信号をデジタルの撮像信号に変換するＡ／Ｄ変換器（ＡＤ）から構成されており、各ＣＣＤ２、２２の出力信号はユニット回路５、２５を経て各々デジタル信号としてＤＳＰ／ＣＰＵ３に送られる。
【００２６】
ＤＳＰ／ＣＰＵ３には、表示装置６、キー入力部７、時計部８が接続されるとともに、アドレス・データバス１０を介してバッファメモリ（ＤＲＡＭ）１１、内蔵フラッシュメモリ１２、保存メモリ１３が接続されている。バッファメモリ１１は、両ＣＣＤ２、２２により撮像されデジタル化された被写体の画像データ等を一時保存するバッファであるとともに、ＤＳＰ／ＣＰＵ３のワーキングメモリとしても使用される。バッファメモリ１１に一時保存された画像データは、ＤＳＰ／ＣＰＵ３により圧縮（符号化）が行われ、最終的には所定のフォーマット（ＪＰＥＧ方式等）を備えた静止画データとして保存メモリ１３に記録される。内蔵フラッシュメモリ１２には、ＤＳＰ／ＣＰＵ３の動作プログラムや各部の制御に使用する各種データが記憶されており、ＤＳＰ／ＣＰＵ３は、前記動作プログラムに従い動作することにより、第１及び第２及び第３の撮影制御手段、表示制御手段、調整手段等として機能する。
【００２７】
また、内蔵フラッシュメモリ１２には、後述するオート撮影モードのために、スルー画撮影時の露出値（ＥＶ）に対応する絞り値（Ｆ）とシャッタースピードとゲイン値との組み合わせを示すスルー画撮影用のプログラム線図と、本撮影時の露出値（ＥＶ）に対応する絞り値（Ｆ）とシャッタースピードとゲイン値との組み合わせを示す本撮影用のプログラム線図とを構成するプログラムＡＥデータも格納されている。なお、スルー画撮影用のプログラム線図は、所定の時間間隔（例えば秒３０コマ）での撮像を確保する必要があるために電荷蓄積時間の上限が本撮影用のプログラム線図における電荷蓄積時間の上限よりも短く設定されており、これに合わせてゲインの上限が本撮影用のプログラム線図におけるゲインの上限よりも高く設定されている。また、反対に、本撮影用のプログラム線図は、画質を優先する必要があるために電荷蓄積時間の上限がスルー画撮影用のプログラム線図における電荷蓄積時間の上限よりも長く設定されており、これに合わせてゲインの上限がスルー画撮影用のプログラム線図におけるゲインの上限よりも低く設定されている。したがって、露出値（ＥＶ）が同じ場合は、通常、本撮影時の電荷蓄積時間のほうがスルー画撮影時の電荷蓄積時間よりも長くなる。ＤＳＰ／ＣＰＵ３は、オート撮影モード時は前記本撮影用のプログラム線図に従って、また、マニュアル撮影モード時はユーザーがマニュアル設定した絞り値とシャッタースピードに従って、前記第１ＣＣＤ２の電荷蓄積時間や、前記絞り６の開放度、前記ユニット回路５のゲイン調整アンプ（ＡＧＣ）のゲイン設定等を行う。また、ＤＳＰ／ＣＰＵ３は、オート撮影モード時は前記スルー画撮影用のプログラム線図に従って、また、マニュアル撮影モード時はユーザーがマニュアル設定した絞り値とシャッタースピードに従って、前記第２ＣＣＤ２２の電荷蓄積時間や、前記絞り２６の開放度、前記ユニット回路２５のゲイン調整アンプ（ＡＧＣ）のゲイン設定等を行う。また、ＤＳＰ／ＣＰＵ３が本撮影用のプログラム線図又はユーザーがマニュアル設定したシャッタースピードに基づき設定した電荷蓄積時間はシャッターパルスとして、ＴＧ４を介して第１ＣＣＤ２に供給され、これに従い第１ＣＣＤ２が動作することにより電荷蓄積時間すなわち露光時間が制御される。つまり第１ＣＣＤ２は電子シャッターとして機能する。同様に、ＤＳＰ／ＣＰＵ３がスルー画撮影用のプログラム線図又はユーザーがマニュアル設定したシャッタースピードに基づき設定した電荷蓄積時間はシャッターパルスとして、ＴＧ２４を介して第２ＣＣＤ２２に供給され、これに従い第２ＣＣＤ２２が動作することにより電荷蓄積時間すなわち露光時間が制御される。つまり第２ＣＣＤ２２は電子シャッターとして機能する。
【００２８】
表示装置６は、カラーＬＣＤとその駆動回路とを含み、撮影待機状態にあるときには第２ＣＣＤ２２によって撮像された被写体画像を通常のスルー画像として表示し、かつ、第１ＣＣＤ２によって撮像された被写体画像を画質調整用のスルー画像として表示する。また、記録画像の再生時には保存メモリ１３から読み出され伸張された静止画を表示する。キー入力部７は、シャッターボタン、撮影モード設定キー、マニュアルモードにおいて撮影条件（露光条件）を設定する撮影条件設定キー、再生キー、電源キー、ＭＥＮＵキー、十字キー等の複数の操作キーを含み、使用者によるキー操作に応じたキー入力信号をＤＳＰ／ＣＰＵ３に出力する。時計部８は日付及び時刻をカウントするカレンダー機能と時計機能とを有しており、撮影動作時等に必要に応じて日付データ及び時刻データをＤＳＰ／ＣＰＵ３へ送る。
【００２９】
なお、両ＣＣＤ２、２２は、図示しない同一の光学系により、絞り６、２６を介して被写体像が結像される。但し、ＣＣＤ２用の光学系とＣＣＤ２２用の光学系を別個に設けるようにしてもよい。
【００３０】
次に、以上の構成からなる電子カメラ１の動作について説明する。電源スイッチが操作されて電源がオンとなっており、マニュアル撮影モードが設定されている状態において、ＤＳＰ／ＣＰＵ３は、内蔵フラッシュメモリ１２に格納されているプログラムに従って図２のフローチャートに示す手順で処理を行う。まず、通常のスルー画像及び画質調整用のスルー画像の同時表示処理を実行する（ステップＳ１０１）。
【００３１】
すなわち、ユーザーによる撮影条件設定キーの操作により、本撮影用に絞り値ＡとシャッタースピードＢとが設定されているとすると、絞り駆動部９は絞り６、２６を駆動して絞り値Ａを各々設定する。また、ＴＧ２４は通常のスルー画像を表示させるための所定の時間間隔（例えば１秒間に３０コマ）及び所定の電荷蓄積時間で第２ＣＣＤ２２を駆動し、ユニット回路２５は、所定の電荷蓄積時間（シャッタースピード）とシャッタースピードＢとの差を補うためにシャッタースピードＢに応じたゲインで、前記所定の時間間隔で第２ＣＣＤ２２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面のほぼ全域に通常のスルー画像Ｐ２（第２の被写体像）を表示させる。
【００３２】
したがって、この通常のスルー画像Ｐ２は、マニュアル撮影モードで設定された撮影条件に擬似的に合致したスルー画像であって、かつ、所定の時間間隔で滑らかに変化するスルー画像となる。
【００３３】
また、ＴＧ４はシャッタースピードＢに対応する時間間隔（例えば１秒間に１コマ）及び電荷蓄積時間で第１ＣＣＤ２を駆動し、ユニット回路５は、所定のゲインで、前記シャッタースピードＢに対応する時間間隔で第１ＣＣＤ２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面の一部に画質調整用のスルー画像Ｐ１（第１の被写体像）を表示させる。
したがって、この画質調整用のスルー画像Ｐ１は、シャッター操作に伴って撮影され保存メモリ１３に保存される画像と同質の画質からなる画像である。よって、画質調整用のスルー画像Ｐ１を視認すれば、シャッター操作に伴ってどのような画質の画像が撮影され保存メモリ１３に保存されるかを予め知ることができる。
【００３４】
次に、画質調整操作があったか否かを判断し（ステップＳ１０２）、前記スルー画像Ｐ１を視認したユーザーが記録される画像の画質を変更すべく、撮影条件設定キーの操作により、絞り値Ａ又はシャッタースピードＢを変更すると、ステップＳ１０２の判断がＹＥＳとなる。したがって、ステップＳ１０３に進み、撮影条件設定キーの操作に応じて画像処理パラメータ（絞り値Ａ又はシャッタースピードＢを含む）を変更設定して（ステップＳ１０３）、前記ステップＳ１０１の処理を再度実行する。したがって、前述のようにしてこのステップＳ１０１の処理により表示される画質調整用のスルー画像Ｐ１を視認することにより、今回画像処理パラメータを変更した画像がどのような画質であるかを瞬時に確認することができる。
【００３５】
また、画質調整操作がなかった場合には（ステップＳ１０２：ＮＯ）、シャッターボタンが操作されるまで（ステップＳ１０４：ＹＥＳ）、ステップＳ１０１からの処理を繰り返す。したがって、ユーザーはこの間表示されている画質調整用のスルー画像Ｐ１を視認することにより、シャッター操作に伴ってどのような画質の画像が保存メモリ１３に保存されるか認識しつつ、シャッターチャンスを待つことができる。
【００３６】
しかし、画質調整用のスルー画像Ｐ１は、前述のようにシャッタースピードＢに対応する時間間隔（例えば１秒間の１コマ）で変化する被写体像であるから、実際の被写体像との間には若干のタイムラグが生じている。したがって、ユーザーが画質調整用のスルー画像Ｐ１のみを視認してシャッターチャンスの有無を判断すると、シャッターチャンスを失してしまう場合が生ずる。
【００３７】
これに対し、通常のスルー画像Ｐ２は、頻繁かつ滑らかに変化する被写体像であって、実際の被写体像と通常のスルー画像Ｐ２の間のタイムラグは無視し得る程度である。したがって、ユーザーは画質調整用のスルー画像Ｐ１により保存メモリ１３に保存される画像の画質を確認する作業と並行して、通常のスルー画像Ｐ２を視認しつつ、構図や画角を調整してシャッターチャンスを待つ。そして、画質調整用のスルー画像Ｐ１としてユーザーが望む画質の被写体像が表示され、且つ通常のスルー画像Ｐ２として所望の構図や画角からなる被写体像が表示された時点（シャッターチャンス）でシャッターボタンを操作する。
【００３８】
すると、ステップＳ１０４からステップＳ１０５に進み、現在設定されている処理パラメータで撮影処理を実行する。すなわち、前述のように、絞り値ＡとシャッタースピードＢとが設定されているとすると、これら絞り値Ａ及びシャッタスピードＢで露光された第１ＣＣＤ２からの画像データであって、ユニット回路５により処理された画像データをバッファメモリ１１に一時保存する。さらに、記録処理を行って、バッファメモリ１１に一時保存された画像データを所定のフォーマットを備えた静止画データとして保存メモリ１３に記録する（ステップＳ１０６）。
【００３９】
この保存メモリ１３に保存された静止画データにあっては、ユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ２を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【００４０】
（第１の実施の形態の変形例１）
なお、図２のフローチャートにおいてはマニュアル撮影モードが設定されている場合について説明したが、オート撮影モードが設定されている場合には、ＡＥ（Ａｕｔｏ  Ｅｘｐｏｓｕｒｅ）により決定された絞り値とシャッタースピードとに基づき、同様の処理を行えばよい。すなわち、通常ＡＥにおいてはスルー画像表示中は、前回取り込んだスルー画像の明るさと前述したスルー画撮影用のプログラム線図等に基づき今回取り込むスルー画像の絞り値ａとシャッタースピードｂとゲインｃを決定するといった動作をシャッター操作があるまで繰り返し実行し、本撮影時は、シャッター操作が行われた直前のスルー画像の明るさと前述した本撮影用のプログラム線図等に基づき絞り値ＡとシャッタースピードＢとゲインＣを決定し、本撮影を実行する。
【００４１】
本実施の形態の変形例１においては、スルー画像表示中、第１ＣＣＤ２から前回取り込んだスルー画像の明るさと前述した本撮影用のプログラム線図等に基づき今回取り込むスルー画像の絞り値ＡとシャッタースピードＢとゲインＣを決定するといった動作をシャッター操作があるまで繰り返し実行するのと並行して、第２ＣＣＤ２２から前回取り込んだスルー画像の明るさと前述したスルー画撮影用のプログラム線図等に基づき今回取り込むスルー画像の絞り値ａとシャッタースピードｂとゲインｃを決定するといった動作をシャッター操作があるまで繰り返し実行する。絞り駆動部９は絞り６、２６を駆動して、繰り返し決定される絞り値Ａ及び絞り値ａを各々設定する。
【００４２】
また、ＴＧ２４は通常のスルー画像を表示させるための所定の時間間隔（例えば１秒間に３０コマ）及び繰り返し決定される電荷蓄積時間ｂで第２ＣＣＤ２２を駆動し、ユニット回路２５は、繰り返し決定されるゲインｃで、前記所定の時間間隔で第２ＣＣＤ２２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面のほぼ全域に通常のスルー画像Ｐ２を表示させる（ステップＳ１０１）。したがって、この通常のスルー画像Ｐ２は、ＡＥ制御されたスルー画像であって、かつ、所定の時間間隔で滑らかに変化するスルー画像となる。
【００４３】
また、ＴＧ４はＡＥにより繰り返し決定されるシャッタースピードＢに対応する時間間隔（例えば１秒間に１コマ）及び電荷蓄積時間Ｂで第１ＣＣＤ２を駆動し、ユニット回路５は、繰り返し決定されるゲインＣで、前記シャッタースピードＢに対応する時間間隔で第１ＣＣＤ２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面の一部に画質調整用のスルー画像Ｐ１を表示させる（ステップＳ１０１）。
【００４４】
したがって、この画質調整用のスルー画像Ｐ１は、ＡＥ制御されたスルー画像であって、かつ、シャッター操作に伴って保存メモリ１３に保存される画像と同質の画質からなる画像である。よって、画質調整用のスルー画像Ｐ１を視認すれば、シャッター操作に伴ってどのような画質の画像が保存メモリ１３に保存されるかを予め知ることができる。
【００４５】
そして、オート撮影モードが設定されている場合には、ステップＳ１０２の判断及びステップＳ１０３の処理は行わずに、シャッターボタンが操作されるまで（ステップＳ１０４：ＹＥＳ）、ステップＳ１０１の処理を繰り返す。したがって、ユーザーはこの間表示されている画質調整用のスルー画像Ｐ１を視認することにより、シャッター操作に伴ってどのような画質の画像が保存メモリ１３に保存されるか認識しつつ、シャッターチャンスを待つことができる。
【００４６】
しかし、画質調整用のスルー画像Ｐ１は、前述のようにシャッタースピードＢに対応する時間間隔（例えば１秒間の１コマ）で変化する被写体像であるから、実際の被写体像との間には若干のタイムラグが生じている。したがって、ユーザーが画質調整用のスルー画像Ｐ１のみを視認してシャッターチャンスの有無を判断すると、シャッターチャンスを失してしまう場合が生ずる。
【００４７】
これに対し、通常のスルー画像Ｐ２は、頻繁かつ滑らかに変化する被写体像であって、実際の被写体像と通常のスルー画像Ｐ２の間のタイムラグは無視し得る程度である。したがって、ユーザーは画質調整用のスルー画像Ｐ１により保存メモリ１３に保存される画像の画質を確認する作業と並行して、通常のスルー画像Ｐ２を視認しつつ、構図や画角を調整してシャッターチャンスを待つ。そして、画質調整用のスルー画像Ｐ１としてユーザーが望む画質の被写体像が表示され、且つ通常のスルー画像Ｐ２として所望の構図や画角からなる被写体像が表示された時点（シャッターチャンス）でシャッターボタンを操作する。
【００４８】
すると、ステップＳ１０４からステップＳ１０５に進み、このステップＳ１０５では前述した実施の形態とは異なり、シャッター操作が行われた直前に第２ＣＣＤ２２側から取り込まれたスルー画像の明るさと前述した本撮影用のプログラム線図等に基づき絞り値ＡとシャッタースピードＢとゲインＣを決定し、本撮影処理を実行する。すなわち、これら絞り値Ａ及びシャッタスピードＢで露光された第１ＣＣＤ２からの画像データであって、ユニット回路５によりゲインＣで増幅された画像データをバッファメモリ１１に一時保存する。さらに、記録処理を行って、バッファメモリ１１に一時保存された画像データを所定のフォーマットを備えた静止画データとして保存メモリ１３に記録する（ステップＳ１０６）。
【００４９】
この保存メモリ１３に保存された静止画データにあっては、ユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ２を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【００５０】
なお、前述のように、本変形例においては、ステップＳ１０２の判断及びステップＳ１０３の処理は行わずに、ステップＳ１０４の判断を行うこととしたが、ステップＳ１０３でオート撮影モードにおける目標パラメータ値に対する調整操作があったか否かを判断し、調整操作があった場合にはステップＳ１０３の処理を行うようにしてもよい。
【００５１】
（第１の実施の形態の変形例２）
また、通常のスルー画像Ｐ２はＡＥによる適切な明るさからなるスルー画像とし、画質調整用のスルー画像Ｐ１はマニュアル設定された撮影条件に基づくスルー画像とすることもできる。すなわち、前記撮影モードにおいてマニュアル撮影モードが設定されており、ユーザーによる撮影条件設定キーの操作により、絞り値ＡとシャッタースピードＢとが設定されているとする。このとき、通常のスルー画像Ｐ２については前述した第１の実施の形態の変形例１と同様に、第２ＣＣＤ２２から前回取り込んだスルー画像の明るさと前述したスルー画撮影用のプログラム線図等に基づき今回取り込むスルー画像の絞り値ａとシャッタースピードｂとゲインｃを決定するといった動作を繰り返し実行する。
【００５２】
絞り駆動部９は絞り２６を駆動して、該絞り２６にはＡＥに基づく絞り値ａを繰り返し設定し、他方絞り６にはマニュアル設定に基づく絞り値Ａを設定する。また、ＴＧ２４は通常のスルー画像を表示させるための所定の時間間隔（例えば１秒間に３０コマ）及び繰り返し決定される電荷蓄積時間ｂで第２ＣＣＤ２２を駆動し、ユニット回路２５は、繰り返し決定されるゲインｃで、前記所定の時間間隔で第２ＣＣＤ２２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面のほぼ全域に通常のスルー画像Ｐ２（第２の被写体像）を表示させる（ステップＳ１０１）。したがって、この通常のスルー画像Ｐ２は、ＡＥによって明るさが適切なスルー画像であって、かつ、所定の時間間隔で滑らかに変化するスルー画像となる。
【００５３】
他方、ＴＧ４はシャッタースピードＢに対応する時間間隔（例えば１秒間に１コマ）及び電荷蓄積時間Ｂで第１ＣＣＤ２を駆動し、ユニット回路５は、所定のゲインで、前記シャッタースピードＢに対応する時間間隔で第１ＣＣＤ２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面の一部に画質調整用のスルー画像Ｐ１を表示させる（ステップＳ１０１）。
【００５４】
したがって、この画質調整用のスルー画像Ｐ１は、シャッター操作に伴って保存メモリ１３に保存される画像と同質の画質からなる画像である。よって、画質調整用のスルー画像Ｐ１を視認すれば、シャッター操作に伴ってどのような画質の画像が保存メモリ１３に保存されるかを予め知ることができる。
【００５５】
次に、画質調整操作があったか否かを判断し（ステップＳ１０２）、前記スルー画像Ｐ１を視認したユーザーが記録される画像の画質を変更すべく、撮影条件設定キーの操作により、絞り値Ａ又はシャッタースピードＢを変更すると、ステップＳ１０２の判断がＹＥＳとなる。したがって、ステップＳ１０３に進み、撮影条件設定キーの操作に応じて画像処理パラメータを変更設定して（ステップＳ１０３）、前記ステップＳ１０１の処理を再度実行する。すなわち、この場合変更された撮影条件に応じて画質調整用のスルー画像Ｐ１のみを変化させる。したがって、前述のようにしてこのステップＳ１０１の処理により表示される画質調整用のスルー画像Ｐ１を視認することにより、今回画像処理パラメータを変更した画像がどのような画質であるかを瞬時に確認することができる。
【００５６】
また、画質調整操作がなかった場合には（ステップＳ１０２：ＮＯ）、シャッターボタンが操作されるまで（ステップＳ１０４：ＹＥＳ）、ステップＳ１０１からの処理を繰り返す。したがって、ユーザーはこの間表示されている画質調整用のスルー画像Ｐ１を視認することにより、シャッター操作に伴ってどのような画質の画像が保存メモリ１３に保存されるか認識しつつ、シャッターチャンスを待つことができる。
【００５７】
しかし、画質調整用のスルー画像Ｐ１は、前述のようにシャッタースピードＢに対応する時間間隔（例えば１秒間の１コマ）で変化する被写体像であるから、実際の被写体像との間には若干のタイムラグが生じている。また、ユーザーが暗い画像の記録を所望している場合には、画質調整用のスルー画像Ｐ１を見ても構図を識別することが困難となる。したがって、ユーザーが画質調整用のスルー画像Ｐ１を視認してシャッターチャンスの有無を判断すると、シャッターチャンスを失してしまう場合が生ずる。
【００５８】
これに対し、通常のスルー画像Ｐ２は、頻繁かつ滑らかに変化する被写体像であって、ＡＥによる最適な明るさで表示されている。したがって、ユーザーは画質調整用のスルー画像Ｐ１により保存メモリ１３に保存される画像の画質を確認する作業と並行して、通常のスルー画像Ｐ２を視認しつつ、構図や画角を調整してシャッターチャンスを待つ。そして、画質調整用のスルー画像Ｐ１としてユーザーが望む画質の被写体像が表示され、且つ通常のスルー画像Ｐ２として所望の構図や画角からなる被写体像が表示された時点（シャッターチャンス）でシャッターボタンを操作する。
【００５９】
すると、ステップＳ１０４からステップＳ１０５に進み、現在設定されている処理パラメータで撮影処理を実行する。すなわち、前述のように、絞り値ＡとシャッタースピードＢとが設定されているとすると、これら絞り値Ａ及びシャッタスピードＢで露光された第１ＣＣＤ２からの画像データであって、ユニット回路５により処理された画像データをバッファメモリ１１に一時保存する。さらに、記録処理を行って、バッファメモリ１１に一時保存された画像データを所定のフォーマットを備えた静止画データとして保存メモリ１３に記録する（ステップＳ１０６）。
【００６０】
この保存メモリ１３に保存された静止画データにあっては、ユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ２を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【００６１】
（第１の実施の形態の変形例３）
また、通常のスルー画像Ｐ２はＡＥによる適切な明るさからなるスルー画像とし、画質調整用のスルー画像Ｐ１はマニュアル設定された撮影条件に擬似的に合致したスルー画像とすることもできる。すなわち、前記撮影モードにおいてマニュアル撮影モードが設定されており、ユーザーによる撮影条件設定キーの操作により、絞り値ＡとシャッタースピードＢとが設定されているとする。このとき、通常のスルー画像Ｐ２については前述した第１の実施の形態の変形例１、２と同様に、第２ＣＣＤ２２から前回取り込んだスルー画像の明るさと前述したスルー画撮影用のプログラム線図等に基づき今回取り込むスルー画像の絞り値ａとシャッタースピードｂとゲインｃを決定するといった動作を繰り返し実行する。また、画質調整用のスルー画像Ｐ１については、通常のスルー画像Ｐ２と同様の絞り値ａとシャッタースピードｂが設定されるとともに、マニュアル設定されている絞り値Ａと絞り値ｂとの差、およびマニュアル設定されているシャッタースピードＢとシャッタースピードｂとの差を補うためのゲインＣが繰り返し決定され設定されるものとする。
【００６２】
絞り駆動部９は絞り６、２６を駆動して、該絞り６、２６にＡＥに基づく絞り値ａを繰り返し設定する。また、ＴＧ２４は通常のスルー画像を表示させるための所定の時間間隔（例えば１秒間に３０コマ）及び電荷蓄積時間ｂで第２ＣＣＤ２２を駆動し、ユニット回路２５は、繰り返し決定されるゲインｃで、前記所定の時間間隔で第２ＣＣＤ２２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面のほぼ全域に通常のスルー画像Ｐ２（第２の被写体像）を表示させる。したがって、この通常のスルー画像Ｐ２は、ＡＥによって明るさが適切なスルー画像であって、かつ、所定の時間間隔で滑らかに変化するスルー画像となる。
【００６３】
また、ＴＧ４も通常のスルー画像を表示させるための所定の時間間隔（例えば１秒間に３０コマ）及び電荷蓄積時間ｂで第１ＣＣＤ２を駆動し、ユニット回路５は、絞り値ｂと絞り値Ａとの差および電荷蓄積時間ｂ（シャッタースピードｂ）とシャッタースピードＢとの差を補うために繰り返し決定されるゲインＣで、前記所定の時間間隔で第１ＣＣＤ２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、図３に示すように、表示装置６の画面の一部に画質調整用のスルー画像Ｐ１を表示させる。したがって、この画質調整用のスルー画像Ｐ１は、マニュアルで設定された撮影条件に擬似的に合致したスルー画像であって、かつ、所定の時間間隔で滑らかに変化するスルー画像となる。よって、この画質調整用のスルー画像Ｐ１を視認すれば、シャッター操作に伴ってどのような明るさ（画質）の画像が保存メモリ１３に保存されるかを予め知ることができる。
【００６４】
しかし、画質調整用のスルー画像Ｐ１は、ゲインＣで、前記所定の時間間隔で第１ＣＣＤ２から送られてくる撮像信号を増幅して変換された撮像信号に基づくものである。したがって、撮影環境が暗いにも拘わらずユーザーが高いシャッタースピードＢを設定している場合には、画質調整用のスルー画像Ｐ１は暗く表示されることとなり、この画質調整用のスルー画像Ｐ１を見ても構図を識別することが困難となる。したがって、ユーザーが画質調整用のスルー画像Ｐ１を視認してシャッターチャンスの有無を判断すると、シャッターチャンスを失してしまう場合が生ずる。
【００６５】
これに対し、通常のスルー画像Ｐ２は、頻繁かつ滑らかに変化する被写体像であって、ＡＥによる最適な明るさで表示されている。したがって、ユーザーは画質調整用のスルー画像Ｐ１により保存メモリ１３に保存される画像の明るさを確認する作業と並行して、通常のスルー画像Ｐ２を視認しつつ、構図や画角を調整してシャッターチャンスを待つ。そして、画質調整用のスルー画像Ｐ１としてユーザーが望む明るさの被写体像が表示され、且つ通常のスルー画像Ｐ２として所望の構図や画角からなる被写体像が表示された時点（シャッターチャンス）でシャッターボタンを操作する。
【００６６】
すると、ステップＳ１０４からステップＳ１０５に進み、現在設定されている処理パラメータで撮影処理を実行する。すなわち、前述のように、絞り値ＡとシャッタースピードＢとが設定されているとすると、これら絞り値Ａ及びシャッタスピードＢで露光された第１ＣＣＤ２からの画像データであって、ユニット回路５により所定のゲインで増幅された画像データをバッファメモリ１１に一時保存する。さらに、記録処理を行って、バッファメモリ１１に一時保存された画像データを所定のフォーマットを備えた静止画データとして保存メモリ１３に記録する（ステップＳ１０６）。
【００６７】
この保存メモリ１３に保存された静止画データにあっては、ユーザーが画質調整用のスルー画像Ｐ１により撮影直前に確認した画像と同一の明るさを有するものであることから、ユーザーが予期しない明るさの画像データが保存メモリ１３されることはない。しかも、保存された静止画はユーザーがスルー画像Ｐ２を視認し、所望の被写体像が表示された時点で撮影したものであることから、シャッターチャンス時にシャッターボタンを操作することにより撮影された所望の画像である。よって、シャッターチャンスを失していない所望の画像であって所望の明るさからなる被写体像を撮影して記録することが可能となる。
【００６８】
また、この変形例３において、画質調整用のスルー画像Ｐ１と通常のスルー画像Ｐ２との相違は、ＡＥで決定されたゲインｃで増幅され画像信号に基づくものであるか、マニュアル設定された絞り値ＡとシャッタースピードＢに応じたゲインＣで増幅された画像信号に基づくものであるか、つまりゲインが相違するに過ぎない。したがって、２個のＣＣＤ２、２２を設ける必要はなく、単一のＣＣＤを設けて、このＣＣＤからの信号を各々異なる増幅率で増幅すればよく、必要となるＣＣＤの数を減少させることができる。
【００６９】
なお、本実施の形態においては、通常のスルー画像Ｐ２を表示装置６の画面全域に表示し、画像調整用のスルー画像Ｐ１を画面の一部に表示するようにしたが、両者を本実施の形態とは逆の表示形態としたり、画面の左右あるいは上下に均等に両者を表示する等、画像調整用のスルー画像Ｐ１と通常のスルー画像Ｐ２とを如何なる表示形態で表示するようにしてよい。
また、本実施の形態においては、本撮影時と同様の絞り値、シャッタースピード、ゲインで撮影を繰り返すことにより画像調整用のスルー画像Ｐ１を生成する場合について説明したが、本撮影時（記録時）と同様のホワイトバランス処理、ガンマ処理、色補正処理で撮影を繰り返すことにより画像調整用のスルー画像Ｐ１を生成し、通常のスルー画像Ｐ２は表示に適したホワイトバランス処理、ガンマ処理、色補正処理で撮影を繰り返すことにより生成するようにしてもよい。この場合、ホワイトバランス処理、ガンマ処理、色補正処理等の撮影処理（画像処理）を画像調整用のスルー画像Ｐ１用と通常のスルー画像Ｐ２用とで並列処理を行えるように構成すれば、変形例３と同様に単一のＣＣＤで実現することができる。
【００７０】
（第２の実施の形態）
図４は、本発明の第２実施の形態に係る電子カメラ２１の概略構成を示すブロック図である。この電子カメラ２１は、単一の絞り３６、ＣＣＤ３２、ユニット回路３５、ＴＧ３４を有している点において第１の実施の形態に係る電子カメラ１とは異なり、他の構成は同様であるので同一部分に同一符号を付して説明を省略する。
【００７１】
次に、以上の構成からなる電子カメラの動作について説明する。電源スイッチが操作されて電源がオンとなっており、オート撮影モードが設定されている状態において、ＤＳＰ／ＣＰＵ３は、内蔵フラッシュメモリ１２に格納されているプログラムに従って図５のフローチャートに示す手順で処理を行う。まず、キー入力部７での操作により画質調整用のスルー画像表示モードが選択されたか否かを判断する（ステップＳ２０１）。画質調整用のスルー画像表示モードが選択されておらず、通常のスルー画像表示モードが選択されている場合には、通常のスルー画像処理を実行する（ステップＳ２０２）。
【００７２】
すなわち、前述のように通常のスルー画像処理においてはスルー画像表示中は、前回取り込んだスルー画像の明るさと前述したスルー画撮影用のプログラム線図等に基づき今回取り込むスルー画像の絞り値ａとシャッタースピードｂとゲインｃを決定するといった動作をシャッター操作があるまで繰り返し実行し、本撮影時は、シャッター操作が行われた直前のスルー画像の明るさと前述した本撮影用のプログラム線図等に基づき絞り値ＡとシャッタースピードＢとゲインＣを決定し、本撮影を実行する。絞り駆動部９は絞り３６を駆動して絞り値ａを繰り返し設定する。また、ＴＧ３４は所定の時間間隔（例えば１秒間に３０コマ）及び電荷蓄積時間ｂでＣＣＤ３２を駆動し、ユニット回路３５は、繰り返し決定されるゲインｃで、前記所定の時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、表示装置６の画面全体に通常のスルー画像Ｐ２を表示させる。したがって、この通常のスルー画像Ｐ２は、本撮影時に設定される撮影条件と擬似的に合致したスルー画像であって、かつ、所定の時間間隔で滑らかに変化するスルー画像となる。
【００７３】
他方、ステップＳ２０１での判断の結果、画質調整用のスルー画像表示モードが選択されている場合には、画質調整用のスルー画像表示処理を実行する（ステップＳ２０３）。すなわち、画質調整用のスルー画像表示処理においてはスルー画像表示中は、前回取り込んだスルー画像の明るさと前述した本撮影用のプログラム線図等に基づき今回取り込むスルー画像の絞り値ＡとシャッタースピードＢとゲインＣを決定するといった動作をシャッター操作があるまで繰り返し実行し、本撮影時も同様に、シャッター操作が行われた直前のスルー画像の明るさと前述した本撮影用のプログラム線図等に基づき絞り値ＡとシャッタースピードＢとゲインＣを決定し、本撮影を実行する。絞り駆動部９は絞り３６を駆動して絞り値Ａを繰り返し設定する。また、ＴＧ３４は前記ＡＥで設定されたシャッタースピードＢに対応する時間間隔（例えば１秒間に１コマ）でＣＣＤ３２を駆動し、ユニット回路３５は、繰り返し決定されるゲインＣで、前記シャッタースピードＢに対応する時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、表示装置６の画面全体に画質調整用のスルー画像Ｐ１を表示させる。
【００７４】
したがって、この画質調整用のスルー画像Ｐ１は、シャッター操作に伴って保存メモリ１３に保存される画像と同質の画質からなる画像である。よって、画質調整用のスルー画像Ｐ１を視認すれば、シャッター操作に伴ってどのような画質の画像が保存メモリ１３に保存されるかを予め知ることができる。
【００７５】
そして、画質調整用のスルー画像表示モードが選択されている間、シャッターボタンが操作されるまで（ステップＳ２０４：ＹＥＳ）、ステップＳ２０３の処理を繰り返す。したがって、ユーザーはこの間表示されている画質調整用のスルー画像Ｐ１を視認することにより、シャッター操作に伴ってどのような画質の画像が保存メモリ１３に保存されるか認識しつつ、シャッターチャンスを待つことができる。
【００７６】
しかし、画質調整用のスルー画像Ｐ１は、前述のようにシャッタースピードＢに対応する時間間隔（例えば１秒間の１コマ）で変化する被写体像であるから、実際の被写体像との間には若干のタイムラグが生じている。したがって、ユーザーが画質調整用のスルー画像Ｐ１を視認してシャッターチャンスの有無を判断すると、シャッターチャンスを失してしまう場合が生ずる。
【００７７】
これに対し、通常のスルー画像Ｐ２は、頻繁かつ滑らかに変化する被写体像であって、実際の被写体像と通常のスルー画像Ｐ２の間のタイムラグは無視し得る程度である。したがって、ユーザーは画質確認優先で撮影を行う場合には、画質調整用のスルー画像表示モードを選択して画質調整用のスルー画像Ｐ１を表示させ、構図（シャッターチャンス）確認優先で撮影を行う場合には、通常のスルー画像表示モードを選択して通常のスルー画像Ｐ２表示させることにより、優先させる撮影形態に応じたスルー画像表示を行うことができる。
【００７８】
なお、画質調整用のスルー画像Ｐ１により保存メモリ１３に保存される画像の画質を確認したならば、キー入力部７での切り換え操作により通常のスルー画像Ｐ２を表示させ、この通常のスルー画像Ｐ２を視認しつつ、構図や画角を調整してシャッターチャンスを待つようにしてもよい。
【００７９】
そして、いずれかのスルー画像Ｐ１、Ｐ２が表示されている状態でシャッターボタンを操作すると、ステップＳ２０４からステップＳ２０５に進み、現在設定されている処理パラメータで撮影処理を実行する。すなわち、前述のように、シャッター操作が行われる直前のスルー画像の明るさと前述した本撮影用のプログラム線図等に基づき本撮影用の絞り値ＡとシャッタースピードＢとゲインＣが決定すると、これら絞り値Ａ及びシャッタースピードＢで露光されたＣＣＤ３２からの画像データであって、ユニット回路３５によりゲインＣで増幅された画像データをバッファメモリ１１に一時保存する。さらに、記録処理を行って、バッファメモリ１１に一時保存された画像データを所定のフォーマットを備えた静止画データとして保存メモリ１３に記録する（ステップＳ２０６）。
【００８０】
この保存メモリ１３に保存された静止画データにあっては、画質調整用のスルー画像表示モードを選択して撮影を行った場合はユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ１、Ｐ２の少なくとも一方を視認し、所望の被写体像が表示された時点で撮影したものとすることができることから、シャッターチャンス時にシャッターボタンを操作することにより撮影された所望の画像である。よって、シャッターチャンスを失していない所望の画像であって所望の画質からなる被写体像を撮影して記録することが可能となる。
【００８１】
（第２の実施の形態の変形例１）
なお、本実施の形態においてはオート撮影モードが設定されている場合について説明したが、マニュアル撮影モードが設定されている場合には、ユーザーにより設定された絞り値とシャッタースピードとに基づき、同様の処理を行えばよい。すなわち、前記撮影モードにおいてマニュアル撮影モードが設定されており、マニュアル撮影モードにおいてユーザーにより絞り値ＡとシャッタースピードＢとが設定されているとすると、絞り駆動部９は絞り３６を駆動して絞り値Ａを設定する。
【００８２】
また、ステップＳ２０１での判断の結果、通常のスルー画像表示モードが選択されている場合には、ＴＧ３４は所定の時間間隔（例えば１秒間に３０コマ）及び所定の電荷蓄積時間でＣＣＤ３２を駆動し、ユニット回路３５は、所定の電荷蓄積時間（シャッタースピード）とシャッタースピードＢとの差を補うためにシャッタースピードＢに応じたゲインで、前記所定の時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、表示装置６の画面全体に通常のスルー画像Ｐ２を表示させる（ステップＳ２０２）。したがって、ステップＳ２０２の処理で表示される通常のスルー画像Ｐ２は、マニュアル撮影モードで設定された撮影条件に擬似的に合致したスルー画像であって、かつ、所定の時間間隔で滑らかに変化するスルー画像となる。  他方、ステップＳ２０１での判断の結果、画質調整用のスルー画像表示モードが選択されている場合には、ＴＧ３４は前記ユーザーにより設定されたシャッタースピードＢに対応する時間間隔（例えば１秒間に１コマ）及び電荷蓄積時間ＢでＣＣＤ３２を駆動し、ユニット回路３５は、所定のゲインで、前記シャッタースピードＢに対応する時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、表示装置６の画面全体に画質調整用のスルー画像Ｐ１を表示させる（ステップＳ２０３）。
【００８３】
したがって、この画質調整用のスルー画像Ｐ１は、シャッター操作に伴って保存メモリ１３に保存される画像と同質の画質からなる画像である。よって、画質調整用のスルー画像Ｐ１を視認すれば、シャッター操作に伴ってどのような画質の画像が保存メモリ１３に保存されるかを予め知ることができる。
【００８４】
そして、画質調整用のスルー画像表示モードが選択されている間、シャッターボタンが操作されるまで（ステップＳ２０４：ＹＥＳ）、ステップＳ２０３の処理を繰り返す。したがって、ユーザーはこの間表示されている画質調整用のスルー画像Ｐ１を視認することにより、シャッター操作に伴ってどのような画質の画像が保存メモリ１３に保存されるか認識しつつ、シャッターチャンスを待つことができる。
【００８５】
しかし、画質調整用のスルー画像Ｐ１は、前述のようにシャッタースピードＢに対応する時間間隔（例えば１秒間の１コマ）で変化する被写体像であるから、実際の被写体像との間には若干のタイムラグが生じている。したがって、ユーザーが画質調整用のスルー画像Ｐ１を視認してシャッターチャンスの有無を判断すると、シャッターチャンスを失してしまう場合が生ずる。
【００８６】
これに対し、通常のスルー画像Ｐ２は、頻繁かつ滑らかに変化する被写体像であって、実際の被写体像と通常のスルー画像Ｐ２の間のタイムラグは無視し得る程度である。したがって、ユーザーは画質確認優先で撮影を行う場合には、画質調整用のスルー画像Ｐ１を表示させ、構図（シャッターチャンス）確認優先で撮影を行う場合には、通常のスルー画像Ｐ２表示させることにより、優先させる撮影形態に応じた表示を行うことができる。
【００８７】
なお、画質調整用のスルー画像Ｐ１により保存メモリ１３に保存される画像の画質を確認したならば、キー入力部７での切り換え操作により通常のスルー画像Ｐ２を表示させ、この通常のスルー画像Ｐ２を視認しつつ、構図や画角を調整してシャッターチャンスを待つようにしてもよい。
【００８８】
そして、シャッターボタンが操作されるとステップＳ２０４からステップＳ２０５に進み、現在設定されている処理パラメータで撮影処理を実行する。すなわち、前述のように、マニュアルにより絞り値ＡとシャッタースピードＢとが設定されているとすると、これら絞り値Ａ及びシャッタスピードＢで露光されたＣＣＤ３２からの画像データであって、ユニット回路３５により処理された画像データをバッファメモリ１１に一時保存する。さらに、記録処理を行って、バッファメモリ１１に一時保存された画像データを所定のフォーマットを備えた静止画データとして保存メモリ１３に記録する（ステップＳ２０６）。
【００８９】
この保存メモリ１３に保存された静止画データにあっては、ユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ１、Ｐ２の少なくとも一方を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【００９０】
（第２の実施の形態の変形例２）
また、通常のスルー画像Ｐ２はＡＥによる適切な明るさからなるスルー画像とし、画質調整用のスルー画像Ｐ１はマニュアル設定された撮影条件に基づく明るさからなるスルー画像とすることもできる。すなわち、前記撮影モードにおいてマニュアル撮影モードが設定されており、ユーザーによる撮影条件設定キーの操作により、絞り値ＡとシャッタースピードＢとが設定されているとする。このとき、通常のスルー画像表示モード（スルー画像Ｐ２）が選択されている場合は、ＣＣＤ３２から前回取り込んだスルー画像の明るさと前述したスルー画撮影用のプログラム線図等に基づき今回取り込むスルー画像の絞り値ａとシャッタースピードｂとゲインｃを決定するといった動作を繰り返し実行する。また、画質調整用のスルー画像表示モード（スルー画像Ｐ１）が選択されている場合は、マニュアル設定されている絞り値ＡとシャッタースピードＢと所定のゲインが設定されるものとする。
すなわち、ステップＳ２０１の判断がＮＯであった場合には、絞り駆動部９は絞り３６を駆動して、該絞り３６にはＡＥに基づく絞り値ａを設定する。また、ＴＧ３４は通常のスルー画像を表示させるための所定の時間間隔（例えば１秒間に３０コマ）及び電荷蓄積時間ｂでＣＣＤ３２を駆動し、ユニット回路３５は、繰り返し決定されるゲインｃで、前記所定の時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、画面全体に通常のスルー画像Ｐ２を表示させる。したがって、この通常のスルー画像Ｐ２は、ＡＥによって明るさが適切なスルー画像であって、かつ、所定の時間間隔で滑らかに変化するスルー画像となる。
【００９１】
他方、ステップＳ２０１の判断がＹＥＳであった場合には、絞り駆動部９は絞り３６を駆動して、該絞り３６にはマニュアル設定されている絞り値Ａを設定する。また、ＴＧ３４はシャッタースピードＢに対応する時間間隔（例えば１秒間に１コマ）及び電荷蓄積時間ＢでＣＣＤ３２を駆動し、ユニット回路３５は、所定のゲインで、前記シャッタースピードＢに対応する時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、表示装置６の画面全体に画質調整用のスルー画像Ｐ１を表示させる（ステップＳ２０３）
【００９２】
したがって、この画質調整用のスルー画像Ｐ１は、シャッター操作に伴って保存メモリ１３に保存される画像と同質の画質からなる画像である。よって、画質調整用のスルー画像Ｐ１を視認すれば、シャッター操作に伴ってどのような画質の画像が保存メモリ１３に保存されるかを予め知ることができる。
【００９３】
しかし、画質調整用のスルー画像Ｐ１は、前述のようにマニュアル設定されたシャッタースピードＢに対応する時間間隔（例えば１秒間の１コマ）で変化する被写体像であるから、実際の被写体像との間には若干のタイムラグが生じている。また、ユーザーが暗い画像の記録を所望している場合には、画質調整用のスルー画像Ｐ１を見ても構図を識別することが困難となる。したがって、ユーザーが画質調整用のスルー画像Ｐ１を視認してシャッターチャンスの有無を判断すると、シャッターチャンスを失してしまう場合が生ずる。
【００９４】
これに対し、通常のスルー画像Ｐ２は、頻繁かつ滑らかに変化する被写体像であって、ＡＥにより最適な明るさで表示されている。したがって、ユーザーは画質確認優先で撮影を行う場合には、画質調整用のスルー画像Ｐ１を表示させ、構図（シャッターチャンス）確認優先で撮影を行う場合には、通常のスルー画像Ｐ２表示させることにより、優先させる撮影形態に応じた表示を行うことができる。
【００９５】
あるいは、ユーザーは画質調整用のスルー画像Ｐ１により保存メモリ１３に保存される画像の画質を確認したならば、キー入力部７での切り換え操作により通常のスルー画像Ｐ２を表示させ、この通常のスルー画像Ｐ２を視認しつつ、構図や画角を調整してシャッターチャンスを待つようにしてもよい。
【００９６】
そして、画質調整用のスルー画像Ｐ１としてユーザーが望む画質の被写体像が表示された時点、若しくは通常のスルー画像Ｐ２として所望の構図や画角からなる被写体像が表示された時点でシャッターボタンを操作する。すると、ステップＳ２０４からステップＳ２０５に進み、現在設定されている処理パラメータで撮影処理を実行する。すなわち、前述のように、マニュアルにより絞り値ＡとシャッタースピードＢとが設定されているとすると、これら絞り値Ａ及びシャッタスピードＢで露光されたＣＣＤ３２からの画像データであって、ユニット回路３５により処理された画像データをバッファメモリ１１に一時保存する。さらに、記録処理を行って、バッファメモリ１１に一時保存された画像データを所定のフォーマットを備えた静止画データとして保存メモリ１３に記録する（ステップＳ２０６）。
【００９７】
この保存メモリ１３に保存された静止画データにあっては、ユーザーが画質調整用のスルー画像Ｐ１により撮影直前に確認した画像と同一の画質を有するものであることから、ユーザーが予期しない画質の画像データが保存メモリ１３されることはない。しかも、保存された静止画はユーザーがスルー画像Ｐ１、Ｐ２の少なくとも一方を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【００９８】
（第２の実施の形態の変形例３）
また、通常のスルー画像Ｐ２はＡＥによる適切な明るさからなるスルー画像とし、画質調整用のスルー画像Ｐ１はマニュアル設定された撮影条件に擬似的に合致したスルー画像とすることもできる。すなわち、前記撮影モードにおいてマニュアル撮影モードが設定されており、ユーザーによる撮影条件設定キーの操作により、絞り値ＡとシャッタースピードＢとが設定されているとする。このとき、通常のスルー画像表示モード（スルー画像Ｐ２）が選択されている場合は、ＣＣＤ３２から前回取り込んだスルー画像の明るさと前述したスルー画撮影用のプログラム線図等に基づき今回取り込むスルー画像の絞り値ａとシャッタースピードｂとゲインｃを決定するといった動作を繰り返し実行する。また、画質調整用のスルー画像表示モード（スルー画像Ｐ１）が選択されている場合は、マニュアル設定されている絞り値Ａ及び所定のシャッタースピードが設定されるとともに、マニュアル設定されているシャッタースピードＢと所定のシャッタースピードとの差を補うためのゲインＣが設定されるものとする。  すなわち、ステップＳ２０１の判断がＮＯであった場合には、絞り駆動部９は絞り３６を駆動して、該絞り３６にはＡＥに基づく絞り値ａを設定する。また、ＴＧ３４は通常のスルー画像を表示させるための所定の時間間隔（例えば１秒間に３０コマ）及び電荷蓄積時間ｂでＣＣＤ３２を駆動し、ユニット回路３５は、繰り返し決定されるゲインｃで、前記所定の時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき、画面全体に通常のスルー画像Ｐ２を表示させる。したがって、この通常のスルー画像Ｐ２は、ＡＥによって明るさが適切なスルー画像であって、かつ、所定の時間間隔で滑らかに変化するスルー画像となる。
【００９９】
他方、ステップＳ２０１の判断がＹＥＳであった場合には、絞り駆動部９は絞り３６を駆動して、該絞り３６にはマニュアル設定されている絞り値Ａを設定する。また、ＴＧ３４は所定の時間間隔（例えば１秒間に３０コマ）及び所定の電荷蓄積時間でＣＣＤ３２を駆動し、ユニット回路３５は、所定の電荷蓄積時間（シャッタースピード）とシャッタースピードＢとの差を補うためにシャッタースピードＢに応じたゲインで、前記所定の時間間隔でＣＣＤ３２から送られてくる撮像信号を増幅してデジタルの撮像信号に変換し、ＤＳＰ／ＣＰＵ３に送る。ＤＳＰ／ＣＰＵ３は、この送られてきたデジタルの撮像信号を表示装置６に供給し、表示装置６はこの撮像信号に基づき画面全体に画質調整用のスルー画像Ｐ１を表示させる。したがって、この画質調整用のスルー画像Ｐ１は、マニュアルで設定された撮影条件に擬似的に合致したスルー画像であって、かつ、所定の時間間隔で滑らかに変化するスルー画像となる。よって、この画質調整用のスルー画像Ｐ１を視認すれば、シャッター操作に伴ってどのような明るさの画像が保存メモリ１３に保存されるかを予め知ることができる。
【０１００】
しかし、画質調整用のスルー画像Ｐ１は、所定の電荷蓄積時間（シャッタースピード）とシャッタースピードＢとの差を補うためにシャッタースピードＢに応じたゲインで、前記所定の時間間隔でＣＣＤ３２から送られてくる撮像信号を増幅して変換された撮像信号に基づくものである。したがって、撮影環境が暗いにも拘わらずユーザーが高いシャッタースピードＢを設定している場合には、画質調整用のスルー画像Ｐ１は暗く表示されることとなり、この画質調整用のスルー画像Ｐ１を見ても構図を識別することが困難となる。したがって、ユーザーが画質調整用のスルー画像Ｐ１を視認してシャッターチャンスの有無を判断すると、シャッターチャンスを失してしまう場合が生ずる。
【０１０１】
これに対し、通常のスルー画像Ｐ２は、頻繁かつ滑らかに変化する被写体像であって、ＡＥによる最適な明るさで表示されている。したがって、ユーザーは明るさ確認優先で撮影を行う場合には、画質調整用のスルー画像Ｐ１を表示させ、構図（シャッターチャンス）確認優先で撮影を行う場合には、通常のスルー画像Ｐ２表示させることにより、優先させる撮影形態に応じた表示を行うことができる。
【０１０２】
あるいは、ユーザーは画質調整用のスルー画像Ｐ１により保存メモリ１３に保存される画像の明るさを確認したならば、キー入力部７での切り換え操作により通常のスルー画像Ｐ２を表示させ、この通常のスルー画像Ｐ２を視認しつつ、構図や画角を調整してシャッターチャンスを待つようにしてもよい。
【０１０３】
そして、画質調整用のスルー画像Ｐ１としてユーザーが望む明るさの被写体像が表示された時点、若しくは通常のスルー画像Ｐ２として所望の構図や画角からなる被写体像が表示された時点でシャッターボタンを操作する。すると、ステップＳ２０４からステップＳ２０５に進み、現在設定されている処理パラメータで撮影処理を実行する。すなわち、前述のように、マニュアルにより絞り値ＡとシャッタースピードＢとが設定されているとすると、これら絞り値Ａ及びシャッタスピードＢで露光されたＣＣＤ３２からの画像データであって、ユニット回路３５により処理された画像データをバッファメモリ１１に一時保存する。さらに、記録処理を行って、バッファメモリ１１に一時保存された画像データを所定のフォーマットを備えた静止画データとして保存メモリ１３に記録する（ステップＳ２０６）。
【０１０４】
この保存メモリ１３に保存された静止画データにあっては、ユーザーが画質調整用のスルー画像Ｐ１により撮影直前に確認した画像と同一の明るさを有するものであることから、ユーザーが予期しない明るさの画像データが保存メモリ１３されることはない。しかも、保存された静止画はユーザーがスルー画像Ｐ１、Ｐ２の少なくとも一方を視認し、所望の被写体像が表示された時点で撮影したものであることから、シャッターチャンス時にシャッターボタンを操作することにより撮影された所望の画像である。よって、シャッターチャンスを失していない所望の画像であって所望の画質からなる被写体像を撮影して記録することが可能となる。
【０１０５】
なお、第２の実施の形態の変形例１〜３においては、ステップＳ２０３の処理に続いて、画質調整操作があったか否かを判断し、前記スルー画像Ｐ１を視認したユーザーが記録される画像の画質変更すべく、撮影条件設定キーの操作により、絞り値Ａ又はシャッタースピードＢを変更すると、この撮影条件の変更操作に応じてこれら絞り値及びシャッタースピードを変更して、前記ステップＳ２０３の処理を再度実行するようにしてもよい。この場合、ステップＳ２０３の処理により表示される画質調整用のスルー画像Ｐ１を視認することにより、今回画像処理パラメータを変更した画像がどのような画質であるかを瞬時に確認することができる。
【０１０６】
また、第２の実施の形態においては、単一のＣＣＤ等を有する電子カメラに本発明を適用するようにしたが、第１の実施の形態と同様に一対のＣＣＤ等を有する電子カメラに適用することもできる。
【０１０７】
さらに、各実施の形態及び変形例においては、画質調整用のスルー画像Ｐ１（第１の被写体像）として、撮影条件が示す露光時間で露光される被写体像を例に説明したが、ホワイトバランスや色バランス等、撮影指示に伴って記録される画像が具備すべき他の画質からなる被写体像を画質調整用のスルー画像Ｐ１（第１の被写体像）として順次表示させるようにしてもよい。
【０１０８】
【発明の効果】
【０１０９】
以上説明したように本発明によれば、表示手段に、第１のファインダ画像表示用の撮影条件で繰り返し撮影される第１の被写体画像と、第２のファインダ画像表示用の撮影条件で繰り返し撮影される第２の被写体画像とを表示させることができる。そして、第１の被写体画像と第２の被写体画像とは異なる撮影条件で撮影されるものであることから、第１の被写体画像は実際の被写体画像との間のタイムラグを生じさせずに表示できる撮影条件で撮影し、第２の被写体画像は、所望の画質に応じた撮影条件で撮影することができる。したがって、ユーザーは第２被写体像により記録保存される画像の画質を確認する作業と並行して、第１の被写体像を視認しつつ、構図や画角を調整してシャッターチャンスを待つことができ、その結果、シャッターチャンスを失していない所望の画像であって所望の画質からなる被写体像を撮影して記録することが可能となる。
【図面の簡単な説明】
【図１】本発明の第１の実施の形態にかかる電子カメラのブロック図である。
【図２】同実施の形態における処理手順を示すフローチャートである。
【図３】同実施の形態における表示例を示す図である。
【図４】本発明の第２の実施の形態にかかる電子カメラのブロック図である。
【図５】同実施の形態における処理手順を示すフローチャートである。
【符号の説明】
１    電子カメラ
２    第１ＣＣＤ
３    ＤＳＰ／ＣＰＵ
４    ＴＧ
５    ユニット回路
６    表示装置
７    キー入力部
９    絞り駆動部
１２    内蔵フラッシュメモリ
１３    保存メモリ
２２    第２ＣＣＤ
２４    ＴＧ
２５    ユニット回路
３２    ＣＣＤ３２
３４    ＴＧ
３５    ユニット回路
【図１】
2004274284.tif 000003
【図２】
2004274284.tif 000004
【図３】
2004274284.tif 000005
【図４】
2004274284.tif 000006
【図５】
2004274284.tif 000007